(57)【要約】【課題】ユーザが設計内容の全体を把握可能となる高精度の設計出力データを自動的に短時間で生成する。【解決手段】入力された入力情報に基づいて所定の計算をする分析部と、入力情報に含まれる条件に従って所定の設計出力データを作成する演算部と、入力情報を記録するデータ蓄積部と、を備えた設計支援装置であって、入力情報は、追加修正の回数と、関連表示が選択されている項目が選択されかつ選択された確率である関連表示確率と、についての条件となる値を含み、分析部の計算は、入力情報に基づいて、データ蓄積部に過去に蓄積された情報から関連表示確率を計算することを含む。【選択図】図１
2022003427.tif 000002
【特許請求の範囲】
【請求項１】
入力された入力情報に基づいて所定の計算をする分析部と、
前記入力情報に含まれる条件に従って所定の設計出力データを作成する演算部と、
前記入力情報を記録するデータ蓄積部と、を備え、
前記入力情報は、追加修正の回数と、関連表示が選択されている項目が選択されかつ選択された確率である関連表示確率と、についての条件となる値を含み、
前記分析部の前記計算は、前記入力情報に基づいて、前記データ蓄積部に過去に蓄積された情報から前記関連表示確率を計算することを含む、設計支援装置。
【請求項２】
前記入力情報は、確率計算する追加修正の回数と、表示項目と、各項目が選択された確率である表示確率と、のうちの少なくとも一つについての条件となる値を更に含む、請求項１記載の設計支援装置。
【請求項３】
前記分析部の前記計算は、前記入力情報に基づいて、前記データ蓄積部に過去に蓄積された情報から前記表示確率を計算することを更に含む、請求項２記載の設計支援装置。
【請求項４】
前記演算部は、当該設計に必要な条件と、前記表示確率と、前記関連表示確率と、前記分析部により計算された結果と、に基づいて、前記設計出力データを作成する、請求項３記載の設計支援装置。
【請求項５】
前記分析部の前記計算は、過去に蓄積された情報の分析を含む、請求項１記載の設計支援装置。
【請求項６】
前記設計出力データは、プロセス設計における各プロセスで実施すべき内容を含む、請求項１記載の設計支援装置。
【請求項７】
前記データ蓄積部は、前記分析部の前記計算により得られた分析結果、及び前記設計出力データを記録し蓄積する、請求項１記載の設計支援装置。
【請求項８】
前記入力情報を入力する入力部と、前記設計出力データを出力する出力部と、のうち少なくとも一方を更に備えた、請求項１記載の設計支援装置。
【請求項９】
請求項１記載の設計支援装置に電気通信回線を通じて接続可能な装置であって、
前記入力情報を入力する入力部と、前記設計出力データを出力する出力部と、のうち少なくとも一方を備えた、表示装置。
【請求項１０】
分析部と、演算部と、データ蓄積部と、を備えたコンピュータを用いた設計支援方法であって、
前記分析部が、入力された入力情報に基づいて所定の計算をする工程と、
前記演算部が、前記入力情報に含まれる条件に従って所定の設計出力データを作成する工程と、
前記データ蓄積部が、前記入力情報を記録する工程と、を含み、
前記入力情報は、追加修正の回数と、関連表示が選択されている項目が選択されかつ選択された確率である関連表示確率と、についての条件となる値を含み、
前記分析部の前記計算は、前記入力情報に基づいて、前記データ蓄積部に過去に蓄積された情報から前記関連表示確率を計算することを含む、設計支援方法。
【請求項１１】
前記入力情報は、確率計算する追加修正の回数と、表示項目と、各項目が選択された確率である表示確率と、のうちの少なくとも一つについての条件となる値を更に含む、請求項１０記載の設計支援方法。
【請求項１２】
前記分析部の前記計算は、前記入力情報に基づいて、前記データ蓄積部に過去に蓄積された情報から前記表示確率を計算することを更に含む、請求項１１記載の設計支援方法。
【請求項１３】
前記設計出力データは、当該設計に必要な条件と、前記表示確率と、前記関連表示確率と、前記分析部により計算された結果と、に基づいて作成される、請求項１２記載の設計支援方法。
【請求項１４】
前記分析部の前記計算は、過去に蓄積された情報の分析を含む、請求項１０記載の設計支援方法。
【請求項１５】
前記設計出力データは、プロセス設計における各プロセスで実施すべき内容を含む、請求項１０記載の設計支援方法。
【請求項１６】
前記データ蓄積部が、前記分析部の前記計算により得られた分析結果、及び前記設計出力データを記録し蓄積する工程を更に含む、請求項１０記載の設計支援方法。
【請求項１７】
前記入力情報を入力する工程と、前記設計出力データを出力する工程と、のうち少なくとも一方を更に含み、これらの工程は、前記コンピュータに電気通信回線を通じて接続することにより行う、請求項１０記載の設計支援方法。
【発明の詳細な説明】
【技術分野】
【０００１】
本発明は、設計支援装置、表示装置及び設計支援方法に関する。
【背景技術】
【０００２】
プロセス設計等の分野においては、設計の際に選択すべき各項目の内容について、既存の設計書の記載内容を参照して決定することが通常行われている。この場合においては、データベースを備えた設計支援装置を用いて各項目の内容についての判別を自動的に行い、ユーザの負担を軽減する技術の開発が進められている。
【０００３】
特許文献１には、入力手段により一の条件群が指定されたときに、判別手段が、各項目毎の条件の重なり具合に基づいて、一の条件群と他の条件群との間で相互に及ぼす影響を判別し、その判別され出力された結果についてオペレータが容易に影響度を判断することができる影響度判別装置が開示されている。
【０００４】
また、履歴情報を利用した設計支援に関する装置において、必要な情報だけを取出すことで、操作者による全体的な設計情報の把握を容易にする技術がある。
【０００５】
特許文献２には、縦軸を項目ごとに区切り、横軸を時間軸とした２次元の出力データである履歴図について、仕様値データから仕様値を順に読み取り、その読み取った仕様値に対応する項目を縦軸の区切り内の、その読み取った仕様値の更新日時に対応する横軸の位置に、その読み取った仕様値を示すマークを記述する処理について、仕様値データの仕様値分だけ行うことで、履歴図を作成する履歴図作成部と、履歴図作成部が作成した履歴図を、データ編集装置に接続されている出力装置へと出力する出力制御部とを有する、データ編集装置が開示されている。
【０００６】
特許文献３には、設計時の仕様変更・改善が及ぼす影響範囲を自動的に検出することで手順を最適化し、不具合や不良の発生による手戻りを防ぐことを目的として、設計プロセスデータとサブタスク間の関連度を表したサブタスク関連度データを生成し、過去設計プロセスデータと、現在設計中の仕掛り中設計プロセスデータとの差分から、仕掛り中の設計業務に対して、以降の設計業務で発生するサブタスクを予測する、設計支援装置が開示されている。この文献には、サブタスクが前工程から後工程へと逐次的に進む確率と、後工程から前工程へとサブタスクが逆流する確率と、を用いることも開示されている。
【先行技術文献】
【特許文献】
【０００７】
【特許文献１】特開平１０−１５４１７９号公報
【特許文献２】特開２０１３−１６０２３号公報
【特許文献３】特開２０１９−６１６１４号公報
【発明の概要】
【発明が解決しようとする課題】
【０００８】
特許文献１に開示されている影響度判別装置においては、各プロセスの条件の相互に及ぼす影響を判別し、その影響の大きさを示すことで、操作者が各内容に記載する内容を判断する。このとき、影響の大きさの判断は、操作者に任されている。また、影響の大きさの大小によって記載する内容の判断も、操作者に任されている。このため、操作者によって設計書に記載する内容にばらつきが発生する可能性がある点で改善の余地がある。
【０００９】
特許文献２に開示されているデータ編集装置においては、ユーザがそれぞれの項目の変更経緯を直感的に把握できる履歴図を提供している。しかし、最新の変更箇所から全体的な設計情報を把握しただけでは、プロセスなどの手順情報において必要な情報の組み合わせについて把握することは困難である。
【００１０】
特許文献３に開示されている設計支援装置においては、差分からサブタスクを予測している。しかし、このような方法を用いても、ユーザが設計書の全体を把握することは容易でないと考えられる。
【００１１】
本発明は、ユーザが設計内容の全体を把握可能となる高精度の設計出力データを自動的に短時間で生成することを目的とする。
【課題を解決するための手段】
【００１２】
本発明の設計支援装置は、入力された入力情報に基づいて所定の計算をする分析部と、入力情報に含まれる条件に従って所定の設計出力データを作成する演算部と、入力情報を記録するデータ蓄積部と、を備え、入力情報は、追加修正の回数と、関連表示が選択されている項目が選択されかつ選択された確率である関連表示確率と、についての条件となる値を含み、分析部の計算は、入力情報に基づいて、データ蓄積部に過去に蓄積された情報から関連表示確率を計算することを含む。
【発明の効果】
【００１３】
本発明によれば、ユーザが設計内容の全体を把握可能となる高精度の設計出力データを自動的に短時間で生成することができる。
【図面の簡単な説明】
【００１４】
【図１】実施例のプロセス設計支援装置を示す全体構成図である。
【図２】図１のプロセス設計支援装置における処理手順の一例を示すフローチャートである。
【図３】実施例に係るプロセス設計書の作成に必要な条件を入力するための画面を示す図である。
【図４】実施例に係るプロセス設計書の出力画面を示す図である。
【図５】確率が表示された入力画面の一例を示す図である。
【図６】表示確率９０％の入力に基づいた出力画面の一例を示す図である。
【図７】表示確率５０％の入力に基づいた出力画面の一例を示す図である。
【図８】関連表示確率が表示された入力画面の一例を示す図である。
【図９】関連表示確率８０％の入力に基づいた出力画面の一例を示す図である。
【図１０】追加修正がある表示条件を入力するための画面の一例を示す図である。
【図１１】確率計算するＲｅｖが入力された表示条件の入力画面の一例を示す図である。
【発明を実施するための形態】
【００１５】
本発明は、各プロセスで実施すべき内容が記載されたプロセス設計書を自動生成する技術を含む、コンピュータを用いた設計支援技術に関する。言い換えると、後述のプロセス設計支援装置は、「設計支援装置」に含まれるものとする。また、プロセス設計支援装置における処理手順は、「設計支援方法」に含まれるものとする。
【００１６】
本明細書においては、「情報」とは、計算機において入力、記録、出力、演算、分析等の対象となる電子データをいい、単に「データ」ともいう。なお、データは、磁気的に記録されたものも含む。
【００１７】
以下、実施例について、図面を用いて説明する。
【実施例】
【００１８】
図１は、実施例のプロセス設計支援装置（プロセス設計案生成装置）を示す全体構成図である。
【００１９】
本図において、プロセス設計支援装置は、計算機１０７（コンピュータ）であり、計算機１０７には、表示条件入力部１０１（単に「入力部」ともいう。）、表示情報演算部１０２（単に「演算部」ともいう。）、プロセス設計書出力部１０３（単に「出力部」ともいう。）、表示項目記憶部１０４、表示項目分析部１０５（単に「分析部」ともいう。）及びデータベース１０６（「データ蓄積部」ともいう。）を含まれている。
【００２０】
表示条件入力部１０１は、プロセス設計書の作成に必要な条件の入力画面を表示する。また、表示条件入力部１０１においては、案件名、鋼種名、追加修正回数Ｒｅｖ、確率計算する追加修正回数Ｒｅｖ、表示項目、表示確率、関連表示確率等が入力される。
【００２１】
ここで、追加修正回数Ｒｅｖは、「差し戻し回数」又は「手戻り回数」ともいう。差し戻し回数とは、顧客、製造担当者等からのプロセス設計書の内容変更依頼の回数をいう。よって、追加修正回数Ｒｅｖは、「追加修正の回数」と呼んでもよい。言い換えると、追加修正の回数とは、過去にプロセス設計書の内容（項目）に対して修正が行われた回数をいう。
【００２２】
また、「表示確率」は、各項目が選択された確率をいい、後述の式（１）が対応する。ここで、選択された各項目は、後述の図４に示すように出力されたものを１件として数える。「関連表示確率」とは、関連表示が選択されている項目が選択され、かつ、選択された確率をいい、後述の式（２）が対応する。「関連表示確率」は、過去のデータに基づくものである。
【００２３】
表示情報演算部１０２においては、プロセス設計書の作成に必要な表示条件、表示確率、関連表示確率、分析結果等に基づいて、プロセス設計書が作成される。言い換えると、演算部においては、当該設計に必要な条件と、表示確率と、関連表示確率と、分析部により計算された結果と、に基づいて、設計出力データが作成される。更に言い換えると、演算部においては、入力情報に含まれる条件に従って所定の設計出力データが作成される。ここで、入力情報は、追加修正の回数と、関連表示が選択されている項目が選択されかつ選択された確率である関連表示確率と、についての条件となる値を含む。
【００２４】
プロセス設計書出力部１０３においては、表示情報演算部１０２で作成されたプロセス設計書が画面に表示される。なお、画面に表示される内容は、印刷することもできる。
【００２５】
表示項目記憶部１０４は、表示条件入力部１０１で入力された情報を記憶する。さらに、その情報をデータベース１０６に送信する機能を有する。
【００２６】
表示項目分析部１０５においては、表示条件入力部１０１で入力された情報（入力情報）に基づいて、過去に蓄積された情報から表示確率、関連表示確率等が計算される。言い換えると、分析部の計算は、入力情報に基づいて、データ蓄積部に過去に蓄積された情報から関連表示確率を計算することを含む。また、分析部の計算は、入力情報に基づいて、データ蓄積部に過去に蓄積された情報から表示確率を計算することを含むものであることが望ましい。さらに、分析部の計算は、過去に蓄積された情報の分析を含むものであることが望ましい。
【００２７】
データベース１０６は、表示条件入力部１０１、表示情報演算部１０２、プロセス設計書出力部１０３、表示項目記憶部１０４及び表示項目分析部１０５で得られたデータを蓄積する。なお、表示項目記憶部１０４は、データベース１０６に含まれていてもよい。言い換えると、表示項目記憶部１０４及びデータベース１０６をまとめて「データ蓄積部」と呼んでもよい。データ蓄積部は、分析部の計算により得られた分析結果、及び設計出力データを記録し蓄積する。
【００２８】
つぎに、プロセス設計支援装置における処理手続きについて、例を用いて説明する。
【００２９】
図２は、図１のプロセス設計支援装置における処理手順の一例を示すフローチャートである。
【００３０】
プロセス設計支援装置における処理は、大きく二つに分けられる。
【００３１】
図２に示すように、一つ目の処理（Ｓ１００）は、プロセス設計書の項目の表示条件の入力処理及び出力処理である。二つ目の処理（Ｓ２００）は、過去において表示条件の入力がなされたという情報及び過去に蓄積された表示条件の情報についての分析をする処理である。
【００３２】
工程Ｓ１００は、工程Ｓ１０１〜Ｓ１０６を含む。
【００３３】
工程Ｓ２００は、工程Ｓ２０１〜Ｓ２０３を含む。
【００３４】
工程Ｓ１００においては、表示条件入力部１０１よりプロセス設計書の作成に必要な条件を入力し、表示情報演算部１０２でプロセス設計書の作成に必要な項目をデータベース１０６から取得してプロセス設計書を作成し、作成されたプロセス設計書をプロセス設計書出力部１０３で出力し、入力された表示条件を表示項目記憶部１０４で記憶してデータベース１０６に蓄積する。
【００３５】
工程Ｓ１０１においては、操作者により表示条件入力部１０１（入力画面であってもよい。）より入力された条件に基づいて、データベース１０６から過去のプロセス設計書の表示条件情報及び分析情報を取得する。
【００３６】
工程Ｓ１０２においては、表示条件入力部１０１により、プロセス設計書の作成に必要な表示条件の入力画面を表示する。
【００３７】
工程Ｓ１０３においては、分析情報を用いた表示条件を選定する。
【００３８】
工程Ｓ１０４においては、表示条件情報を取得する。
【００３９】
工程Ｓ１０５においては、取得した表示条件に基づいて、表示情報演算部１０２によりプロセス設計書を作成し、プロセス設計書出力部１０３によりプロセス設計書を出力する。
【００４０】
工程Ｓ１０６においては、入力した表示条件を表示項目記憶部１０４で記憶し、データベース１０６に蓄積する。
【００４１】
工程Ｓ２００の分析処理は、表示項目分析部１０５により表示項目の分析処理を行うものである。
【００４２】
工程Ｓ２０１においては、データベース１０６から過去の表示条件情報及び分析情報を取得する。
【００４３】
工程Ｓ２０２においては、表示条件のデータを分析する。ここでは、表示する製造要領の溶解方法等の各項目について、選択された確率を算出する。選択された各項目の回数をｓｉ（ｋ）とし、全案件数をＴとすると、各項目が選択された確率ｐｉは、下記式（１）で表される。
【００４４】
ｐｉ＝ｓｉ（ｋ）／Ｔ      …（１）
ここで、ｋは、追加修正回数Ｒｅｖの数を意味し、例えば、Ｒｅｖ「３」であるｋ＝３、すなわち、選択された各項目の回数（３）は、Ｒｅｖ「０」からＲｅｖ「３」までに選択された回数を意味する。
【００４５】
また、関連表示の確率（関連表示確率）ｑｉは、関連表示が選択されている項目が選択され、かつ、選択された各項目の回数をＳｉ（ｋ）とすると、下記式（２）で表される。
【００４６】
ｑｉ＝Ｓｉ（ｋ）／Ｔ      …（２）
工程Ｓ２０３では、工程Ｓ２０２で計算した分析結果をデータベース１０６に蓄積する。
【００４７】
つぎに、機械構造物の部品となる金属部材のプロセス設計書の作成を例として、プロセス設計書を作成する方法について説明する。
【００４８】
図３は、プロセス設計書の作成に必要な条件を入力するための画面（入力画面）の一例を示したものである。
【００４９】
本図に示す入力画面には、操作者により、プロセス設計書の作成に必要な計算条件が入力される。この入力画面は、新規作成ボタンがクリックされたことにより表示されたものであり、表示条件が蓄積されていない状態であり、最初に表示条件を入力する状態である。
【００５０】
「案件名」には、顧客である「ＡＡＡ社」が入力されている。追加修正回数を意味する「Ｒｅｖ」は、最初であるため、「０」となっている。また、「鋼種名」には、「鋼種Ａ」が入力されている。
【００５１】
同様に、最初であるため、確率計算を行うために取得する表示条件に対してどこまでの追加修正回数を含めて確率計算をするかを意味する「確率計算するＲｅｖ」も「０」となっている。
【００５２】
表形式の部分には、「工程」、「表示する製造要領」、「表示」、「表示確率」、「表示確率」、「関連表示」及び「関連表示確率」が表示されている。「工程」には、溶解、焼鈍などのプロセス設計が、「表示する製造要領」には、溶解方法、電極形状など、各工程に対応する項目が表示されている。
【００５３】
そして、「表示」の欄においては、プロセス設計書として表示される項目が選択され、〇印が表示されている。ここでは、溶解工程の「溶解方法」及び「鋼塊成分」、焼鈍工程の「保持時間」、加工工程の「加工種類」、再溶解工程の「溶解方法」、分塊工程の「設備の種類」及び「加熱温度」並びに仕上工程の「設備の種類」が選択されている。
【００５４】
「表示確率」及び「関連表示確率」においては、最初であり表示条件が蓄積されていないため、すべて「０％」と表示されている。また、「関連表示」も選択されていない。
【００５５】
また、最初であるため、表の下方の２つの入力欄には、「０」が入力されている。すなわち、「表示確率「０」％以上表示」及び「関連表示確率「０」％以上表示」と入力されている。
【００５６】
図２の工程Ｓ１０３に関して、図３の入力画面を例にとると、選定される表示条件としては、「確率計算するＲｅｖ」、「表示確率」、「関連表示確率」、「関連表示」、「表示確率「」％以上表示」及び「関連表示確率「」％以上表示」が対応する。必要に応じて、工程Ｓ２００の分析処理とのデータのやり取りを行う。最初であるために未入力であるため、工程Ｓ１０３の詳細は、後で説明する。
【００５７】
図４は、プロセス設計書の出力の一例を示したものである。
【００５８】
本図においては、図３で入力された「表示」の欄に〇印を入力した項目に対応するプロセス設計書が表示されている。案件名には「ＡＡＡ社」が、「Ｒｅｖ」には「０」が、鋼種名には「鋼種Ａ」が表示されている。
【００５９】
また、図３においては、「鋼塊成分」に〇印が入力されているため、「鋼種Ａ」の「成分表」が表示されている。「製造要領」に関しては、「溶解工程」の「溶解方法」に〇印が入力されているため、「真空誘導」が表示されている。「焼鈍工程」においては「保持温度」に〇印が入力されているため、「保持温度α℃」が表示されている。
【００６０】
「加工工程」や「再溶解工程」などの他の工程に関しても、選択項目に応じて「製造要領」が表示されている。
【００６１】
図４においては、「熱処理工程」及び「検査工程」について表示されているが、図３の入力画面において「仕上工程」の下方に表示されていない「検査工程」がある。操作者は、画面のスクロールバーを移動することにより、「検査工程」を表示し、条件を入力する。なお、「真空誘導」、「保持温度α℃」、「切削加工」などの表示された「製造要領」の内容に関しては、鋼種に応じた各工程の各項目に「製造要領」の内容があらかじめデータベース１０６（図１）に蓄積されているものとする。
【００６２】
次に、工程Ｓ１００及び工程Ｓ２００の処理を複数回行い、複数の案件が蓄積された状態での処理手順について述べる。
【００６３】
工程Ｓ１０１、工程Ｓ１０２で過去のプロセス設計書の表示条件情報及び分析情報を取得し、表示条件の入力画面を表示する。
【００６４】
図５は、確率が表示された入力画面の一例を示したものである。
【００６５】
本図においても、新規作成の場合が表示されている。「案件名」に「ＢＢＢ社」が、「鋼種名」に「鋼種Ｂ」が入力されている。ここでは新規案件としているため、追加修正回数を意味する「Ｒｅｖ」は「０」となっている。また、「確率計算するＲｅｖ」も「０」となっている。
【００６６】
複数の案件が蓄積されているため、表示項目には、工程Ｓ２００において上記式（１）によって算出された確率が表示されている。すなわち、ここでは、Ｒｅｖが０の全案件において、各項目が選択されている確率が「表示確率」として表示されている。「溶解工程」についての「表示する製造要領」である「溶解方法」を例に取ると、Ｒｅｖが０の全案件に対して、９５％が表示選択されたことを意味する。
【００６７】
工程Ｓ１０３の分析情報を用いた表示条件を選定する。ここでは表示確率「９０」％以上表示が入力されている。
【００６８】
図６は、工程Ｓ１０４及び工程Ｓ１０５を行い、表示確率９０％の入力に基づいた出力の一例を示したものである。
【００６９】
本図においては、「案件名」に「ＢＢＢ社」が、「Ｒｅｖ」に「０」、「鋼種名」には「鋼種Ｂ」が表示されている。そして、「表示確率「９０」％以上表示」が表示されている。すなわち、本図においては、図５の表示確率９０％以上の項目が表示されている。ここでは、溶解工程の「溶解方法」、鋼塊成分である「鋼種Ｂ」の「成分表」、焼鈍工程の「保持温度」などの表示項目９０％以上の項目が表示されている。
【００７０】
図７は、表示確率５０％の入力に基づいた出力の一例を示したものである。
【００７１】
溶解工程の「溶解方法」、鋼塊成分である「鋼種Ｂ」の「成分表」、焼鈍工程の「保持温度」、「保持時間」、「冷却条件」などの表示確率５０％以上の項目が表示されている。このように表示確率が少ない項目まで表示すると、選択される頻度が低い製造要領の項目まで表示され、多くの項目が表示されるため、煩雑となる。
【００７２】
表示された製造要領の内容に関しては、ここでも鋼種に応じた各工程の各項目に製造要領の内容があらかじめデータベース１０６に蓄積されている。プロセス設計書は、表示情報演算部１０２により作成される。
【００７３】
関連表示について説明する。ここで、データベース１０６には、既に複数の案件が蓄積されているものとする。
【００７４】
図８は、関連表示確率が表示された入力画面の一例を示したものである。
【００７５】
本図においては、図５と同様に新規作成の場合を示している。「案件名」に「ＢＢＢ社」が入力され、「鋼種名」に「鋼種Ｂ」が入力されている。「関連表示」としては、加工工程の「加工種類」及び再溶解工程の「溶解温度」が選択されている。
【００７６】
「関連表示確率」には、工程Ｓ２００において、上記式（２）によって算出された確率が表示されている。すなわち、ここでは、Ｒｅｖが０の全案件において、加工工程の「加工種類」及び再溶解工程の「溶解温度」が選択されているときに各項目が選択される確率が、関連表示確率として表示される。表示する製造要領「溶解方法」を例に取ると、Ｒｅｖが０の全案件に対して、加工工程の「加工種類」及び再溶解工程の「溶解温度」が選択されているとき、溶解工程の「溶解方法」が１００％の確率で表示選択されていることを意味する。工程Ｓ１０３の分析情報を用いた表示条件を選定する。ここでは、関連表示確率「８０」％以上表示が入力されている。
【００７７】
図９は、工程Ｓ１０４及び工程Ｓ１０５を行い、関連表示確率８０％の入力に基づいた出力の一例を示したものである。
【００７８】
溶解工程の「溶解方法」、「電極形状」、鋼塊成分である「鋼種Ｂ」の「成分表」、焼鈍工程の「保持温度」、「保持時間」などの関連表示確率８０％以上の項目が表示されている。ここでも、鋼種に応じた各工程の各項目に製造要領の内容は、あらかじめデータベース１０６に蓄積されている。プロセス設計書は、表示情報演算部１０２により作成される。
【００７９】
つぎに、追加修正回数を意味するＲｅｖが入力された場合の処理について説明する。
【００８０】
工程Ｓ１０１及び工程Ｓ１０２で過去のプロセス設計書の表示条件情報及び分析情報を取得し、表示条件の入力画面を表示する。
【００８１】
図１０は、入力画面の一例を示したものである。
【００８２】
本図においては、Ｒｅｖは、過去の案件に対して追加修正を行うときに利用する。このため、本図の「開く」ボタンをクリックすることにより、今まで登録された案件の一覧から追加する案件を開く。ここでは、案件名「ＡＡＡ社」が選択されている。ここでは、Ｒｅｖが０として既に登録されているものであるため、今回はＲｅｖ「１」が表示されている。表示する項目には、Ｒｅｖが０で選択した溶解工程の「溶解方法」及び「鋼塊成分」、焼鈍工程の「保持温度」、加工工程の「加工種類」、再溶解工程の「溶解方法」、分塊工程の「設備の種類」及び「加熱時間」並びに仕上工程の「設備の種類」が選択され、〇印で表示されている。
【００８３】
また、「表示確率」には、工程Ｓ２００において、上記式（１）によって算出された確率が表示されている。ここでは、顧客の要求などにより表示項目を増やす必要あり、表示する項目として焼鈍工程の「保持時間」及び仕上工程の「加熱温度」が追加され、●印として選択されている。
【００８４】
工程Ｓ１０３で分析情報を用いた表示条件を選定し、工程Ｓ１０４では表示条件情報を取得する。このとき、本図の●印で示された追加された項目をＲｅｖ「１」として取得し、工程Ｓ１０５で取得した表示条件に基づいて、表示情報演算部１０２よりプロセス設計書を作成し、プロセス設計書出力部１０３によりプロセス設計書を出力する。工程Ｓ１０６では、入力した表示条件を表示項目記憶部１０４で記憶し、データベース１０６に蓄積する。
【００８５】
つぎに、「確率計算するＲｅｖ」が入力された場合の処理について説明する。
【００８６】
工程Ｓ１０１及び工程Ｓ１０２で過去のプロセス設計書の表示条件情報及び分析情報を取得し、表示条件の入力画面を表示する。
【００８７】
図１１は、入力画面の一例を示したものである。
【００８８】
図１０の画面においては、「確率計算するＲｅｖ」に「０」が入力されていたが、図１１においては、「確率計算するＲｅｖ」に「１」が入力されている。
【００８９】
表示項目には、工程Ｓ２００において上記式（１）によって算出された確率が表示されている。「確率計算するＲｅｖ」が「１」が入力されているため、上記式（１）において、選択された各項目の回数は、Ｒｅｖ「１」で選択された回数となる。言い換えると、ｋ＝１に対応する値である。このため、表示確率は、Ｒｅｖ「０」の場合より高くなっている。
【００９０】
関連表示には、加工工程の「加工種類」及び再溶解工程の「溶解温度」が選択されている。
【００９１】
関連表示確率には、工程Ｓ２００において、上記式（２）によって算出された確率が表示されている。「確率計算するＲｅｖ」が「１」が入力されているため、上記式（２）において、選択された各項目の回数は、Ｒｅｖ「１」で選択された回数となる。言い換えると、ｋ＝１に対応する値である。このため、関連表示確率は、Ｒｅｖ「０」の場合より高くなっている。
【００９２】
このように、選択される確率が高い項目を表示し、かつ、項目が選択された場合、併せて選択される確率が高い項目を表示する装置を用いることにより、操作者は、抜けや漏れが少ないプロセス設計書を作成することができる。
【００９３】
本明細書においては、入力、出力、演算、分析等の各処理を、同一の計算機で実施しているように記載しているが、ネットワーク環境を利用することにより、複数の計算機において各処理を分散して実施することも可能である。言い換えると、電気通信回線を通じて接続可能な複数の装置を用いて各処理を実施することもできる。この場合においては、計算機に電気通信回線を通じて接続可能な表示装置であって、入力情報を入力する入力部と、設計出力データを出力する出力部と、のうち少なくとも一方を備えたものを用いてもよい。
【符号の説明】
【００９４】
１０１：表示条件入力部、１０２：表示情報演算部、１０３：プロセス設計書出力部、１０４：表示項目記憶部、１０５：表示項目分析部、１０６：データベース、１０７：計算機。
【図１】
2022003427.tif 000003
【図２】
2022003427.tif 000004
【図３】
2022003427.tif 000005
【図４】
2022003427.tif 000006
【図５】
2022003427.tif 000007
【図６】
2022003427.tif 000008
【図７】
2022003427.tif 000009
【図８】
2022003427.tif 000010
【図９】
2022003427.tif 000011
【図１０】
2022003427.tif 000012
【図１１】
2022003427.tif 000013